(57)【要約】  【課題】  サーバの設置や利用者の操作を必要とせず、Ｗｅｂサーバが提供する情報をリアルタイムに両ネットワーク装置間で共有できるネットワーク装置を提供する。  【解決手段】  インターネットを介して接続するＷｅｂサーバ３０との間で通信を行い、Ｗｅｂサーバ３０が提供する情報を受信するＷｅｂサーバ接続部１０１と、閉域ネットワークを介して接続する対向ネットワーク装置２０ａとの間で通信を行い、Ｗｅｂサーバ３０から提供された情報から取得するファイルを自動的に送信する対向ネットワーク接続部１０５を備えることを特徴とする。【選択図】  図１
2007011509.tif 000002
【特許請求の範囲】
【請求項１】
インターネットを介して接続するＷｅｂサーバとの間で通信を行い、前記Ｗｅｂサーバが提供する情報を受信するＷｅｂサーバ接続部と、
閉域ネットワークを介して接続する対向ネットワーク装置との間で通信を行い、前記Ｗｅｂサーバから提供された情報から取得するファイルを自動的に送信する対向ネットワーク接続部を備えることを特徴とするネットワーク装置。
【請求項２】
前記対向ネットワーク接続部が送信するファイルは画像あるいは音声であり、前記ファイルを取得し、前記対向ネットワーク接続部へ入力するファイル転送部を備えることを特徴とする請求項１に記載のネットワーク装置。
【請求項３】
閉域ネットワークを介して接続するネットワーク装置との間で通信を行い、前記ネットワーク装置がＷｅｂサーバから提供された情報から取得したファイルを受信するネットワーク接続部を備えることを特徴とする対向ネットワーク装置。
【請求項４】
前記ファイルを取得し、これを管理するファイル取得部を備えることを特徴とする請求項４に記載の対向ネットワーク装置。
【請求項５】
閉域ネットワークを介して接続する対向ネットワーク装置との間で通信を行い、インターネットを介して接続するＷｅｂサーバへの接続情報を自動的に送信する対向ネットワーク接続部を備えることを特徴とするネットワーク装置。
【請求項６】
前記接続情報は前記Ｗｅｂサーバへの処理手順であり、前記処理手順を取得し、前記対向ネットワーク接続部へ入力する処理手順転送部を備えることを特徴とする請求項５に記載のネットワーク装置。
【請求項７】
前記接続情報は前記ＷｅｂサーバへのＵＲＬであり、前記ＵＲＬを取得し、前記対向ネットワーク接続部へ入力するＵＲＬ転送部を備えることを特徴とする請求項５に記載のネットワーク装置。
【請求項８】
前記接続情報は前記ＷｅｂサーバへのＵＲＬ及びＣｏｏｋｉｅであり、前記ＵＲＬ及びＣｏｏｋｉｅを取得し、前記対向ネットワーク接続部へ入力するＵＲＬ及びＣｏｏｋｉｅ転送部を備えることを特徴とする請求項５に記載のネットワーク装置。
【請求項９】
閉域ネットワークを介して接続するネットワーク装置との間で通信を行い、インターネットを介して接続するＷｅｂサーバへの接続情報を受信する対向ネットワーク接続部と、
前記接続情報を用いて自動的に前記Ｗｅｂサーバへ接続するＷｅｂサーバ接続部を備えることを特徴とする対向ネットワーク装置。
【請求項１０】
前記接続情報は前記Ｗｅｂサーバへの処理手順であり、前記処理手順を取得し、これを管理する処理手順取得部を備えることを特徴とする請求項９に記載の対向ネットワーク装置。
【請求項１１】
前記接続情報は前記Ｗｅｂサーバへ接続するＵＲＬであり、前記ＵＲＬを取得し、これを管理するＵＲＬ取得部を備えることを特徴とする請求項９に記載の対向ネットワーク装置。
【請求項１２】
前記接続情報は前記Ｗｅｂサーバへ接続するＵＲＬ及びＣｏｏｋｉｅであり、前記ＵＲＬ及びＣｏｏｋｉｅを取得し、これを管理するＵＲＬ及びＣｏｏｋｉｅ取得部を備えることを特徴とする請求項９に記載の対向ネットワーク装置。
【請求項１３】
インターネットを介して接続するＷｅｂサーバとの間で通信を行い、閉域ネットワークを介して接続する対向ネットワーク装置への利用者認証情報の登録要求を受信するＷｅｂサーバ接続部と、
前記対向ネットワーク装置との間で通信を行い、前記利用者認証情報を送信し、Ｗｅｂサーバ情報を利用する際に用いる接続鍵を受信する対向ネットワーク接続部とを備えることを特徴とするネットワーク装置。
【請求項１４】
前記Ｗｅｂサーバ接続部は、前記接続鍵を用いて前記Ｗｅｂサーバとの間で通信を行う場合、前記ネットワーク装置が前記Ｗｅｂサーバへアクセスしたことを識別するために付与されたアクセス識別子、及び前記対向ネットワーク装置への利用者認証情報の入力要求を受信し、
前記対向ネットワーク接続部は、前記アクセス識別子及び前記利用者認証情報を送信し、前記Ｗｅｂサーバを利用できるか否かを示す認証結果を受信することを特徴とする請求項１３に記載のネットワーク装置。
【請求項１５】
前記接続鍵を取得して管理する接続鍵取得部と、前記認証結果を取得して利用者へ確認させる認証結果取得部を備えることを特徴とする請求項１３に記載のネットワーク装置。
【請求項１６】
閉域ネットワークを介して接続するネットワーク装置との間で通信を行い、前記ネットワーク装置から登録される利用者認証情報を受信し、Ｗｅｂサーバ情報を利用する際に用いる接続鍵を送信するネットワーク接続部と、
閉域ネットワークを介して接続するＷｅｂサーバとの間で通信を行い、前記ネットワーク装置が前記Ｗｅｂサーバへアクセスしたことを識別するために付与されたアクセス識別子及び前記接続鍵を受信するＷｅｂサーバ接続部とを備えることを特徴とする対向ネットワーク装置。
【請求項１７】
前記ネットワーク接続部は、前記ネットワーク装置から入力される前記利用者認証情報、及び前記ネットワーク装置においても取得した前記アクセス識別子を受信し、
前記ネットワーク接続部及び前記Ｗｅｂサーバ接続部は前記アクセス識別子を基に行った利用者の認証結果を送信することを特徴とする請求項１６に記載の対向ネットワーク装置。
【請求項１８】
前記利用者認証情報及び前記接続鍵を取得し、これらを関連付けて管理する認証情報登録／読出部を備えることを特徴とする請求項１６に記載の対向ネットワーク装置。
【請求項１９】
インターネットを介して接続するＷｅｂサーバとの間で通信を行い、利用者が選択した商品についての購入希望及び利用者のカード識別情報を送信し、前記購入希望した商品を識別するために付与された商品識別子、及び閉域ネットワークを介して接続する対向ネットワーク装置への利用者認証情報の入力要求を受信するＷｅｂサーバ接続部と、
前記対向ネットワーク装置との間で通信を行い、前記商品識別子及び前記利用者認証情報を送信し、クレジット決済結果を受信する対向ネットワーク接続部とを備えることを特徴とするネットワーク装置。
【請求項２０】
前記クレジット決済結果を取得して利用者へ確認させるクレジット決済結果取得部を備えることを特徴とする請求項１９に記載のネットワーク装置。
【請求項２１】
閉域ネットワークを介して接続するＷｅｂサーバとの間で通信を行い、ネットワーク装置を用いて利用者が購入希望した商品情報、前記ネットワーク装置から前記Ｗｅｂサーバへ送信された利用者のカード識別情報、及び購入希望した商品を識別するために付与された商品識別子を受信するＷｅｂサーバ接続部と、
閉域ネットワークを介して接続するネットワーク装置との間で通信を行い、利用者認証情報及び前記商品識別子を受信するネットワーク接続部とを備えることを特徴とする対向ネットワーク装置。
【請求項２２】
前記対向ネットワーク装置は、閉域ネットワークを介して接続する決済サーバとの間で通信を行い、前記商品識別子を基に、前記商品情報、前記カード識別情報、及び前記利用者認証情報を取得して決済処理要求を送信し、決済処理終了通知を受信する決済処理部を備え、
前記Ｗｅｂサーバ接続部あるいは前記ネットワーク接続部は、前記決済処理終了通知を送信することを特徴とする請求項２１に記載の対向ネットワーク装置。
【請求項２３】
前記商品識別子を基に、前記商品情報、前記カード識別情報、及び前記利用者認証情報を取得する商品情報及びカード情報取得部を備えることを特徴とする請求項２２に記載の対向ネットワーク装置。
【発明の詳細な説明】
【技術分野】
【０００１】
本発明は、Ｗｅｂサーバとインターネットを介して接続するネットワーク装置、及びネットワーク装置と閉域ネットワークを介して接続する対向ネットワーク装置に関する。
【背景技術】
【０００２】
従来、インターネットを介してＷｅｂサーバと接続する際にサーバを利用するネットワーク装置が知られている。図２１に示すように、ネットワーク装置１からの要求に従い、サーバ４はインターネットを介してＷｅｂサーバ３と接続し、Ｗｅｂサーバ３が提供するHTML(Hyper Text Markup Language)ファイル等の情報を取得して管理する。つづいて、サーバ４は要求のあったネットワーク装置１に対してＷｅｂサーバ３から取得したHTMLファイル等を送信する。これにより、ネットワーク装置１は、Ｗｅｂサーバが提供する情報を取得することができる。一方、ネットワーク装置２もサーバ４に接続することにより、ネットワーク装置１が取得した情報と同じものを取得することができる。このように、サーバ４を設置することにより、ネットワーク装置１及びネットワーク装置２の間でＷｅｂサーバ３が提供する情報を共有することができる（特許文献１参照）。
【特許文献１】特開２００１−５１９３２号公報  この他に、サーバ４を設置せずに、利用者の操作によりＷｅｂサーバ３が提供する情報をネットワーク装置１及びネットワーク装置２の間で共有させることもできる。図２２に示すように、ネットワーク装置１はインターネットを介してＷｅｂサーバ３と接続し、Ｗｅｂサーバ３からHTMLファイル等の情報を取得する。利用者はネットワーク装置１で取得したファイル等の情報から対向ネットワーク装置２に送信するファイルを選択した後、ネットワーク装置１から閉域ネットワークを介して接続されている対向ネットワーク装置２へ選択したファイルを送信することにより、ネットワーク装置１及び対向ネットワーク装置２の間でＷｅｂサーバ３が提供する情報を共有することができる。
【発明の開示】
【発明が解決しようとする課題】
【０００３】
しかし、前者のネットワークシステムは、Ｗｅｂサーバが提供する情報を共有するためにサーバを設置することが前提であるのでコストがかかる。また、サーバで管理している情報を取得するには要求をしなければ得られず、Ｗｅｂサーバが提供する情報を両ネットワーク装置間でリアルタイムに共有することができないという問題があった。
【０００４】
また、後者のネットワークシステムは、Ｗｅｂサーバが提供する情報を共有するためには利用者の操作が不可欠で手間がかかる。また、ネットワーク装置がＷｅｂサーバからの情報を取得し、利用者がファイルを選択した後、対向ネットワーク装置に対してそのファイルが送信されるので、Ｗｅｂサーバが提供する情報を両ネットワーク装置間でリアルタイムに共有することができないという問題があった。
【０００５】
その他にも、両者のネットワークシステムにおいて、Ｗｅｂサーバが情報提供を行う前に認証処理を必要としている場合、ネットワーク装置は利用者を認証させるための利用者認証情報を、インターネットを介して送信しなければならず、利用者認証情報が第三者へ漏洩あるいは盗聴されてしまうという問題があった。
【０００６】
本発明は、こうした問題に着目し、サーバの設置や利用者の操作を必要とせず、Ｗｅｂサーバが提供する情報をリアルタイムに両ネットワーク装置間で共有でき、また、Ｗｅｂサーバが情報提供を行う前に認証処理を必要としている場合に、利用者を認証させるための利用者認証情報が、インターネット上で第三者へ漏洩あるいは盗聴されずに済む、ネットワーク装置及びこれと閉域ネットワークを介して接続する対向ネットワーク装置を提供することを目的とする。
【課題を解決するための手段】
【０００７】
本発明のネットワーク装置は、インターネットを介して接続するＷｅｂサーバとの間で通信を行い、前記Ｗｅｂサーバが提供する情報を受信するＷｅｂサーバ接続部と、閉域ネットワークを介して接続する対向ネットワーク装置との間で通信を行い、前記Ｗｅｂサーバから提供された情報から取得するファイルを自動的に送信する対向ネットワーク接続部を備えることを特徴とする。
【０００８】
また、本発明のネットワーク装置は、閉域ネットワークを介して接続する対向ネットワーク装置との間で通信を行い、インターネットを介して接続するＷｅｂサーバへの接続情報を自動的に送信する対向ネットワーク接続部を備えることを特徴とする。
【０００９】
また、本発明のネットワーク装置は、インターネットを介して接続するＷｅｂサーバとの間で通信を行い、閉域ネットワークを介して接続する対向ネットワーク装置への利用者認証情報の登録要求を受信するＷｅｂサーバ接続部と、前記対向ネットワーク装置との間で通信を行い、前記利用者認証情報を送信し、Ｗｅｂサーバ情報を利用する際に用いる接続鍵を受信する対向ネットワーク接続部とを備えることを特徴とする。
【００１０】
また、本発明のネットワーク装置は、インターネットを介して接続するＷｅｂサーバとの間で通信を行い、利用者が選択した商品についての購入希望及び利用者のカード識別情報を送信し、前記購入希望した商品を識別するために付与された商品識別子、及び閉域ネットワークを介して接続する対向ネットワーク装置への利用者認証情報の入力要求を受信するＷｅｂサーバ接続部と、前記対向ネットワーク装置との間で通信を行い、前記商品識別子及び前記利用者認証情報を送信し、クレジット決済結果を受信する対向ネットワーク接続部とを備えることを特徴とする。
【００１１】
本発明の対向ネットワーク装置は、閉域ネットワークを介して接続するネットワーク装置との間で通信を行い、前記ネットワーク装置がＷｅｂサーバから提供された情報から取得したファイルを受信する対向ネットワーク接続部を備えることを特徴とする。
【００１２】
また、本発明の対向ネットワーク装置は、閉域ネットワークを介して接続するネットワーク装置との間で通信を行い、インターネットを介して接続するＷｅｂサーバへの接続情報を受信するネットワーク接続部と、前記接続情報を用いて自動的に前記Ｗｅｂサーバへ接続するＷｅｂサーバ接続部を備えることを特徴とする。
【００１３】
また、本発明の対向ネットワーク装置は、閉域ネットワークを介して接続するネットワーク装置との間で通信を行い、前記ネットワーク装置から登録される利用者認証情報を受信し、Ｗｅｂサーバ情報を利用する際に用いる接続鍵を送信するネットワーク接続部と、閉域ネットワークを介して接続するＷｅｂサーバとの間で通信を行い、前記ネットワーク装置が前記Ｗｅｂサーバへアクセスしたことを識別するために付与されたアクセス識別子及び前記接続鍵を受信するＷｅｂサーバ接続部とを備えることを特徴とする。
【００１４】
また、本発明の対向ネットワーク装置は、閉域ネットワークを介して接続するＷｅｂサーバとの間で通信を行い、ネットワーク装置を用いて利用者が購入希望した商品情報、前記ネットワーク装置から前記Ｗｅｂサーバへ送信された利用者のカード識別情報、及び購入希望した商品を識別するために付与された商品識別子を受信するＷｅｂサーバ接続部と、閉域ネットワークを介して接続するネットワーク装置との間で通信を行い、利用者認証情報及び前記商品識別子を受信するネットワーク接続部とを備えることを特徴とする。
【発明の効果】
【００１５】
本発明のネットワーク装置及びこれと閉域ネットワークを介して接続する対向ネットワーク装置によれば、サーバの設置や利用者の操作を必要とせず、Ｗｅｂサーバが提供する情報をリアルタイムに両ネットワーク装置間で共有でき、また、Ｗｅｂサーバが情報提供を行う前に認証処理を必要としている場合に、利用者を認証させるための利用者認証情報が、インターネット上で第三者へ漏洩あるいは盗聴されずに済む。
【発明を実施するための最良の形態】
【００１６】
以下、本発明を実施するための最良の形態について説明する。なお、本発明は、以下の各実施例で説明する内容に限定されるものではなく、適宜に組み合わせ、あるいは変更できるものである。
【実施例１】
【００１７】
以下、本発明の第１実施例を説明する。はじめに、本実施例のシステムの概略構成を説明する。図１に示すように、システムの概略構成は、ネットワーク装置１０ａ、ネットワーク装置１０ａと閉域ネットワークを構築し、これを介して接続する対向ネットワーク装置２０ａ、ネットワーク装置１０ａとインターネットを介して接続するＷｅｂサーバ３０を備えている。ここで、閉域ネットワークは、特定の装置間を結ぶ専用線であり、閉域ネットワーク間の通信では漏洩や盗聴のおそれが少ない。
【００１８】
本実施例のネットワーク装置１０aは、インターネットを介して接続するＷｅｂサーバ３０との間で通信を行い、Ｗｅｂサーバ３０が提供する情報を受信してファイルを取得し、その後、閉域ネットワークを介して接続する対向ネットワーク装置２０aとの間で通信を行い、取得したファイルを自動的に送信するものである。図２に示すように、ネットワーク装置１０ａの内部構成は、Ｗｅｂサーバ接続部１０１、ＨＴＴＰ処理部１０２、表示処理部１０３、ディスプレイ部１０４、対向ネットワーク接続部１０５、カメラ部１０６、映像転送部１０７、マイク／スピーカ部１０８、音声転送部１０９、画像／音声ファイル転送部１１０を備えている。なお、特に図示していないが、上記の各構成は、ネットワーク装置１０ａ内の記録媒体に記録されているプログラムを装置内のコンピュータが実行することにより機能する。
【００１９】
また、本実施例の対向ネットワーク装置２０aは、閉域ネットワークを介して接続するネットワーク装置１０ａとの間で通信を行い、ネットワーク装置１０ａがＷｅｂサーバ３０から提供された情報から取得したファイルを受信するものである。図３に示すように、対向ネットワーク装置２０ａの内部構成は、ネットワーク接続部２０１、表示処理部２０２、ディスプレイ部２０３、カメラ部２０４、映像転送部２０５、マイク／スピーカ部２０６、音声転送部２０７、画像／音声ファイル取得部２０８、及び画像／音声ファイル保持部２０９を備えている。なお、特に図示していないが、上記の各構成は、対向ネットワーク装置２０ａ内の記録媒体に記録されているプログラムを装置内のコンピュータが実行することにより機能する。
【００２０】
以下、システムの動作を説明する。はじめに、ネットワーク装置１０ａにおいて、対向ネットワーク接続部１０５は閉域ネットワークを介して対向ネットワーク装置２０ａと接続されている。ネットワーク装置１０aの利用者はＷｅｂサーバ３０へ接続するための入力を行うと、この入力情報はＨＴＴＰ処理部１０２で処理され、Ｗｅｂサーバ接続部１０１はインターネットを介してＷｅｂサーバ３０と接続して情報提供を要求する。これに従い、Ｗｅｂサーバ３０では要求された情報を提供し、ネットワーク装置１０ａにおいて、その情報はＷｅｂサーバ接続部１０１を介してＨＴＴＰ処理部１０２に入力される。ＨＴＴＰ処理部１０２は入力された情報を表示処理部１０３に入力し、表示処理部１０３は、その情報を表示できるように処理し、ディスプレイ部１０４は、その情報を表示する。これにより、ネットワーク装置１０ａの利用者はＷｅｂサーバ３０が提供する情報を視聴することができる。
【００２１】
また、その一方、ＨＴＴＰ処理部１０２はＷｅｂサーバ３０の情報に含まれるＨＴＭＬ等のファイルから静止画、動画等の画像あるいは音声ファイルを読み取り、これを画像／音声ファイル転送部１１０に入力し、画像／音声ファイル転送部１１０は取得した画像あるいは音声ファイル等を対向ネットワーク接続部１０５に入力する。対向ネットワーク接続部１０５は、入力された画像／音声ファイルを、閉域ネットワークを介して対向ネットワーク装置２０ａに送信する。なお、静止画ファイルにはＢＭＰ、ＪＰＥＧ、Ｇｉｆ等があり、動画ファイルにはＡＶＩ、ＭＰＥＧ、ＷＭＦ、ＡＳＦ等があり、また、音声ファイルにはＷＡＶ、ＡＩＦＦ、ＭＰ３、Ｏｇｇ  Ｖｏｒｂｉｓ等があるが、その他のファイルでも良い。
【００２２】
対向ネットワーク装置２０ａにおいて、ネットワーク接続部２０１は閉域ネットワークを介して画像／音声ファイルを受信し、ネットワーク接続部２０１は、これを画像／音声ファイル取得部２０８に入力する。画像／音声取得部２０８は取得したファイル等を表示処理部２０２に入力し、表示処理部２０２は、そのファイルを表示できるように処理し、ディスプレイ部２０４はそのファイルを表示する。これにより、対向ネットワーク装置２０ａの利用者は、ネットワーク装置１０ａがＷｅｂサーバ３０から受信して取得したファイルを視聴することができる。一方、画像／音声ファイル取得部２０８は、取得したファイルを画像／音声ファイル保持部２０９に記録し、管理させても良く、対向ネットワーク装置２０ａの利用者は、あとで当該記録した画像／音声ファイルを視聴することもできる。
【００２３】
以上、本実施例では、ネットワーク装置１０ａがＷｅｂサーバ３０から取得した情報を表示する一方、取得した情報に含まれる画像あるいは音声ファイル等を読み取り、このファイルを、閉域ネットワークを介して接続する対向ネットワーク装置２０ａに自動的に転送するので、Ｗｅｂサーバ３０から提供される情報をリアルタイムにネットワーク装置１０ａ及び対向ネットワーク装置２０ａで共有することができる。
【００２４】
なお、本実施例において、Ｗｅｂサーバ３０から取得した情報からファイル等を読み取る処理を行う構成は、ＨＴＴＰ処理部１０２を備えるものとしたが、同様の処理を実行するブロックであれば、別の構成を備えても良いものとする。
【実施例２】
【００２５】
以下、本発明の第２実施例を説明する。はじめに、本実施例のシステムの概略構成を説明する。図４に示すように、システムの概略構成は、ネットワーク装置１０ｂ、ネットワーク装置１０ｂと閉域ネットワークを構築し、これを介して接続する対向ネットワーク装置２０ｂ、ネットワーク装置１０ｂとインターネットを介して接続するＷｅｂサーバ３０を備えている。ここで、閉域ネットワークは、特定の装置間を結ぶ専用線であり、閉域ネットワーク間の通信では漏洩や盗聴のおそれが少ない。
【００２６】
本実施例のネットワーク装置１０ｂは、インターネットを介して接続するＷｅｂサーバ３０との間で通信を行う一方、閉域ネットワークを介して接続する対向ネットワーク装置２０ｂとの間で通信を行い、Ｗｅｂサーバ３０への接続情報である処理手順を自動的に送信するものである。図５に示すように、ネットワーク装置１０ｂの内部構成は、Ｗｅｂサーバ接続部１０１、ＨＴＴＰ処理部１０２、表示処理部１０３、ディスプレイ部１０４、対向ネットワーク接続部１０５、カメラ部１０６、映像転送部１０７、マイク／スピーカ部１０８、音声転送部１０９、及び処理手順転送部１１１備えている。なお、特に図示していないが、上記の各構成は、ネットワーク装置１０ｂ内の記録媒体に記録されているプログラムを装置内のコンピュータが実行することにより機能する。
【００２７】
また、本実施例の対向ネットワーク装置２０ｂは、閉域ネットワークを介して接続するネットワーク装置１０ｂとの間で通信を行い、ネットワーク装置１０ｂからＷｅｂサーバ３０への接続情報である処理手順を受信するものである。図５に示すように、対向ネットワーク装置２０ｂの内部構成は、ネットワーク接続部２０１、表示処理部２０２、ディスプレイ部２０３、カメラ部２０４、映像転送部２０５、マイク／スピーカ部２０６、音声転送部２０７、処理手順取得部２１０、及び処理手順保持部２１１を備えている。なお、特に図示していないが、上記の各構成は、対向ネットワーク装置２０ｂ内の記録媒体に記録されているプログラムを装置内のコンピュータが実行することにより機能する。
【００２８】
以下、システムの動作を説明する。はじめに、ネットワーク装置１０ｂにおいて、対向ネットワーク接続部１０５は閉域ネットワークを介して対向ネットワーク装置２０ｂと接続されている。ネットワーク装置１０ｂの利用者はＷｅｂサーバ３０へ接続するための入力を行うと、この入力情報はＨＴＴＰ処理部１０２で処理され、Ｗｅｂサーバ接続部１０１はインターネットを介してＷｅｂサーバ３０と接続して情報提供を要求する。これに従い、Ｗｅｂサーバ３０では要求された情報を提供し、ネットワーク装置１０ｂにおいて、その情報はＷｅｂサーバ接続部１０１を介してＨＴＴＰ処理部１０２に入力される。ＨＴＴＰ処理部１０２は入力された情報を表示処理部１０３に入力し、表示処理部１０３は、その情報を表示できるように処理し、ディスプレイ部１０４は、その情報を表示する。これにより、ネットワーク装置１０ｂの利用者はＷｅｂサーバ３０が提供する情報を視聴することができる。
【００２９】
その一方、ＨＴＴＰ処理部１０２はＷｅｂサーバ３０への接続情報である処理手順、すなわち、Ｗｅｂサーバ３０へ接続する際に行った処理手順を処理手順転送部１１１に入力し、処理手順転送部１１１は取得した処理手順を対向ネットワーク接続部１０５に入力する。対向ネットワーク接続部１０５は、入力された処理手順を、閉域ネットワークを介して対向ネットワーク装置２０ｂに自動的に送信する。
【００３０】
対向ネットワーク装置２０ｂにおいて、ネットワーク接続部２０１は閉域ネットワークを介してネットワーク装置１０ｂがＷｅｂサーバ３０へ接続する際に行った処理手順を受信し、ネットワーク接続部２０１は、これを処理手順取得部２１０に入力する。処理手順取得部２１０は取得した処理手順をＨＴＴＰ処理部２１２に入力する。ＨＴＴＰ処理部２１２は入力された処理手順に従った処理を行い、Ｗｅｂサーバ接続部２１３はインターネットを介してＷｅｂサーバ３０と接続して情報提供を要求する。これに従い、Ｗｅｂサーバ３０では要求された情報を提供し、ネットワーク装置１０ｂにおいて、その情報はＷｅｂサーバ接続部２１３を介してＨＴＴＰ処理部２１２に入力される。ＨＴＴＰ処理部２１２は入力された情報を表示処理部２０２に入力し、表示処理部２０２は、その情報を表示できるように処理し、ディスプレイ部２０３は、その情報を表示する。これにより、対向ネットワーク装置２０ｂの利用者はＷｅｂサーバ３０が提供する情報を視聴することができる。一方、処理手順取得部２１０は、取得した処理手順を処理手順保持部２１１に記録し、管理させても良く、対向ネットワーク装置１０ｂの利用者は、あとで当該記録した処理手順を参照してＷｅｂサーバ３０が提供する情報を取得することもできる。
【００３１】
以上、本実施例では、ネットワーク装置１０ｂがＷｅｂサーバ３０へ接続する処理を行う一方、その際に行った処理手順を、閉域ネットワークを介して接続する対向ネットワーク装置２０ｂに自動的に転送し、対向ネットワーク装置２０ｂでは、これを用いてＷｅｂサーバ３０へ接続する処理を行うので、Ｗｅｂサーバ３０から提供される情報をリアルタイムにネットワーク装置１０ｂ及び対向ネットワーク装置２０ｂで共有することができる。
【００３２】
なお、本実施例において、ネットワーク装置１０ｂの利用者が入力した情報からＷｅｂサーバ３０へ接続する処理手順を読み取る処理、あるいは処理手順を入力してＷｅｂサーバ３０へ接続する処理などを行う構成は、ＨＴＴＰ処理部１０２あるいはＨＴＴＰ処理部２１２を備えるものとしたが、同様の処理を実行するブロックであれば、別の構成を備えても良いものとする。
【実施例３】
【００３３】
以下、本発明の第３実施例を説明する。はじめに、本実施例のシステムの概略構成を説明する。図７に示すように、システムの概略構成は、ネットワーク装置１０ｃ、ネットワーク装置１０ｃと閉域ネットワークを構築し、これを介して接続する対向ネットワーク装置２０ｃ、ネットワーク装置１０ｃとインターネットを介して接続するＷｅｂサーバ３０を備えている。ここで、閉域ネットワークは、特定の装置間を結ぶ専用線であり、閉域ネットワーク間の通信では漏洩や盗聴のおそれが少ない。
【００３４】
本実施例のネットワーク装置１０ｃは、インターネットを介して接続するＷｅｂサーバ３０との間で通信を行う一方、閉域ネットワークを介して接続する対向ネットワーク装置２０ｃとの間で通信を行い、Ｗｅｂサーバ３０への接続情報であるＵＲＬを自動的に送信するものである。図８に示すように、ネットワーク装置１０ｃの内部構成は、Ｗｅｂサーバ接続部１０１、ＨＴＴＰ処理部１０２、表示処理部１０３、ディスプレイ部１０４、対向ネットワーク接続部１０５、カメラ部１０６、映像転送部１０７、マイク／スピーカ部１０８、音声転送部１０９、及びＵＲＬ転送部１１２備えている。なお、特に図示していないが、上記の各構成は、ネットワーク装置１０ｃ内の記録媒体に記録されているプログラムを装置内のコンピュータが実行することにより機能する。
【００３５】
また、本実施例の対向ネットワーク装置２０ｃは、閉域ネットワークを介して接続するネットワーク装置１０ｃとの間で通信を行い、ネットワーク装置１０ｃからＷｅｂサーバ３０への接続情報であるＵＲＬを受信するものである。図９に示すように、対向ネットワーク装置２０ｃの内部構成は、ネットワーク接続部２０１、表示処理部２０２、ディスプレイ部２０３、カメラ部２０４、映像転送部２０５、マイク／スピーカ部２０６、音声転送部２０７、ＵＲＬ取得部２１４、及びＵＲＬ保持部２１５を備えている。なお、特に図示していないが、上記の各構成は、対向ネットワーク装置２０ｃ内の記録媒体に記録されているプログラムを装置内のコンピュータが実行することにより機能する。
【００３６】
以下、システムの動作を説明する。はじめに、ネットワーク装置１０ｃにおいて、対向ネットワーク接続部１０５は閉域ネットワークを介して対向ネットワーク装置２０ｃと接続されている。ネットワーク装置１０ｃの利用者はＷｅｂサーバ３０へ接続するため、ＵＲＬ等の入力を行うと、この入力情報はＨＴＴＰ処理部１０２で処理され、Ｗｅｂサーバ接続部１０１はインターネットを介してＷｅｂサーバ３０と接続して情報提供を要求する。これに従い、Ｗｅｂサーバ３０では要求された情報を提供し、ネットワーク装置１０ｃにおいて、その情報はＷｅｂサーバ接続部１０１を介してＨＴＴＰ処理部１０２に入力される。ＨＴＴＰ処理部１０２は入力された情報を表示処理部１０３に入力し、表示処理部１０３は、その情報を表示できるように処理し、ディスプレイ部１０４は、その情報を表示する。これにより、ネットワーク装置１０ｃの利用者はＷｅｂサーバ３０が提供する情報を視聴することができる。
【００３７】
その一方、ＨＴＴＰ処理部１０２はＷｅｂサーバ３０への接続情報であるＵＲＬをＵＲＬ転送部１１２に入力し、ＵＲＬ転送部１１２は入力されたＵＲＬを対向ネットワーク接続部１０５に入力する。対向ネットワーク接続部１０５は、入力されたＵＲＬを、閉域ネットワークを介して対向ネットワーク装置２０ｃに自動的に送信する。
【００３８】
対向ネットワーク装置２０ｃにおいて、ネットワーク接続部２０１は閉域ネットワークを介してネットワーク装置１０ｃで入力したＷｅｂサーバ３０へ接続するＵＲＬを受信し、ネットワーク接続部２０１は、これをＵＲＬ取得部２１４に入力する。ＵＲＬ取得部２１４は取得したＵＲＬをＨＴＴＰ処理部２１２に入力する。ＨＴＴＰ処理部２１２は入力されたＵＲＬを用いて処理を行い、Ｗｅｂサーバ接続部２１３はインターネットを介してＷｅｂサーバ３０と接続して情報提供を要求する。これに従い、Ｗｅｂサーバ３０では要求された情報を提供し、ネットワーク装置１０ｃにおいて、その情報はＷｅｂサーバ接続部２１３を介してＨＴＴＰ処理部２１２に入力される。ＨＴＴＰ処理部２１２は入力された情報を表示処理部２０２に入力し、表示処理部２０２は、その情報を表示できるように処理し、ディスプレイ部２０３は、その情報を表示する。これにより、対向ネットワーク装置２０ｃの利用者はＷｅｂサーバ３０が提供する情報を視聴することができる。一方、ＵＲＬ取得部２１４は、取得したＵＲＬをＵＲＬ保持部２１５に記録し、管理させても良く、対向ネットワーク装置１０ｃの利用者は、あとで当該記録したＵＲＬを参照してＷｅｂサーバ３０が提供する情報を取得することもできる。
【００３９】
以上、本実施例では、ネットワーク装置１０ｃがＷｅｂサーバ３０へ接続する処理を行う一方、その際に入力されたＵＲＬを、閉域ネットワークを介して接続する対向ネットワーク装置２０ｃに自動的に転送し、対向ネットワーク装置２０ｃでは、これを用いてＷｅｂサーバ３０へ接続する処理を行うので、Ｗｅｂサーバ３０から提供される情報をリアルタイムにネットワーク装置１０ｃ及び対向ネットワーク装置２０ｃで共有することができる。
【００４０】
なお、本実施例において、ネットワーク装置１０ｃの利用者が入力した情報からＷｅｂサーバ３０のＵＲＬを読み取る処理、あるいはＵＲＬを入力してＷｅｂサーバ３０へ接続する処理などを行う構成は、ＨＴＴＰ処理部１０２あるいはＨＴＴＰ処理部２１２を備えるものとしたが、同様の処理を実行するブロックであれば、別の構成を備えても良いものとする。
【実施例４】
【００４１】
以下、本発明の第４実施例を説明する。はじめに、本実施例のシステムの概略構成を説明する。図１０に示すように、システムの概略構成は、ネットワーク装置１０ｄ、ネットワーク装置１０ｄと閉域ネットワークを構築し、これを介して接続する対向ネットワーク装置２０ｄ、ネットワーク装置１０ｄとインターネットを介して接続するＷｅｂサーバ３０を備えている。ここで、閉域ネットワークは、特定の装置間を結ぶ専用線であり、閉域ネットワーク間の通信では漏洩や盗聴のおそれが少ない。
【００４２】
本実施例のネットワーク装置１０ｄは、インターネットを介して接続するＷｅｂサーバ３０との間で通信を行う一方、閉域ネットワークを介して接続する対向ネットワーク装置２０ｄとの間で通信を行い、Ｗｅｂサーバ３０への接続情報であるＵＲＬ、及び以前の通信でＷｅｂサーバ３０との間で設定したＣｏｏｋｉｅを自動的に送信するものである。図１１に示すように、ネットワーク装置１０ｄの内部構成は、Ｗｅｂサーバ接続部１０１、ＨＴＴＰ処理部１０２、表示処理部１０３、ディスプレイ部１０４、対向ネットワーク接続部１０５、カメラ部１０６、映像転送部１０７、マイク／スピーカ部１０８、音声転送部１０９、及びＵＲＬ及びＣｏｏｋｉｅ転送部１１２備えている。なお、特に図示していないが、上記の各構成は、ネットワーク装置１０ｄ内の記録媒体に記録されているプログラムを装置内のコンピュータが実行することにより機能する。
【００４３】
また、本実施例の対向ネットワーク装置２０ｄは、閉域ネットワークを介して接続するネットワーク装置１０ｄとの間で通信を行い、ネットワーク装置１０ｄからＷｅｂサーバ３０への接続情報であるＵＲＬ及びＣｏｏｋｉｅを受信するものである。図１２に示すように、対向ネットワーク装置２０ｄの内部構成は、ネットワーク接続部２０１、表示処理部２０２、ディスプレイ部２０３、カメラ部２０４、映像転送部２０５、マイク／スピーカ部２０６、音声転送部２０７、ＵＲＬ及びＣｏｏｋｉｅ取得部２１７、及びＵＲＬ及びＣｏｏｋｉｅ保持部２１８を備えている。なお、特に図示していないが、上記の各構成は、対向ネットワーク装置２０ｄ内の記録媒体に記録されているプログラムを装置内のコンピュータが実行することにより機能する。
【００４４】
以下、システムの動作を説明する。はじめに、ネットワーク装置１０ｄにおいて、対向ネットワーク接続部１０５は閉域ネットワークを介して対向ネットワーク装置２０ｄと接続されている。ネットワーク装置１０ｄの利用者はＷｅｂサーバ３０へ接続するため、ＵＲＬ及びＣｏｏｋｉｅ等の入力を行うと、この入力情報はＨＴＴＰ処理部１０２で処理され、Ｗｅｂサーバ接続部１０１はインターネットを介してＷｅｂサーバ３０と接続して情報提供を要求する。これに従い、Ｗｅｂサーバ３０では要求された情報を提供し、ネットワーク装置１０ｄにおいて、その情報はＷｅｂサーバ接続部１０１を介してＨＴＴＰ処理部１０２に入力される。ＨＴＴＰ処理部１０２は入力された情報を表示処理部１０３に入力し、表示処理部１０３は、その情報を表示できるように処理し、ディスプレイ部１０４は、その情報を表示する。これにより、ネットワーク装置１０ｄの利用者はＷｅｂサーバ３０が提供する情報を視聴することができる。
【００４５】
その一方、ＨＴＴＰ処理部１０２はＷｅｂサーバ３０への接続情報であるＵＲＬ及びＣｏｏｋｉｅをＵＲＬ及びＣｏｏｋｉｅ転送部１１３に入力し、ＵＲＬ及びＣｏｏｋｉｅ転送部１１３は入力されたＵＲＬ及びＣｏｏｋｉｅを対向ネットワーク接続部１０５に入力する。対向ネットワーク接続部１０５は、入力されたＵＲＬ及びＣｏｏｋｉｅを、閉域ネットワークを介して対向ネットワーク装置２０ｄに自動的に送信する。
【００４６】
対向ネットワーク装置２０ｄにおいて、ネットワーク接続部２０１は閉域ネットワークを介してネットワーク装置１０ｄで入力したＷｅｂサーバ３０へ接続するＵＲＬ及びＣｏｏｋｉｅを受信し、ネットワーク接続部２０１は、これをＵＲＬ及びＣｏｏｋｉｅ取得部２１６に入力する。ＵＲＬ及びＣｏｏｋｉｅ取得部２１６は取得したＵＲＬ及びＣｏｏｋｉｅをＨＴＴＰ処理部２１２に入力する。ＨＴＴＰ処理部２１２は入力されたＵＲＬ及びＣｏｏｋｉｅを用いて処理を行い、Ｗｅｂサーバ接続部２１３はインターネットを介してＷｅｂサーバ３０と接続して情報提供を要求する。これに従い、Ｗｅｂサーバ３０では要求された情報を提供し、ネットワーク装置１０ｄにおいて、その情報はＷｅｂサーバ接続部２１３を介してＨＴＴＰ処理部２１２に入力される。ＨＴＴＰ処理部２１２は入力された情報を表示処理部２０２に入力し、表示処理部２０２は、その情報を表示できるように処理し、ディスプレイ部２０３は、その情報を表示する。これにより、対向ネットワーク装置２０ｄの利用者はＷｅｂサーバ３０が提供する情報を視聴することができる。一方、ＵＲＬ及びＣｏｏｋｉｅ取得部２１６は、取得したＵＲＬ及びＣｏｏｋｉｅをＵＲＬ及びＣｏｏｋｉｅ保持部２１７に記録し、管理させるようにしても良く、対向ネットワーク装置１０ｄの利用者は、あとで当該記録したＵＲＬ及びＣｏｏｋｉｅを参照してＷｅｂサーバ３０が提供する情報を取得することもできる。
【００４７】
以上、本実施例では、ネットワーク装置１０ｄがＷｅｂサーバ３０へ接続する処理を行う一方、その際に入力されたＵＲＬ及びＣｏｏｋｉｅを、閉域ネットワークを介して接続する対向ネットワーク装置２０ｄに自動的に転送し、対向ネットワーク装置２０ｄでは、Ｗｅｂサーバ３０へのアクセスを限定するＣｏｏｋｉｅ情報も用いてＷｅｂサーバ３０へ接続する処理を行うので、Ｗｅｂサーバ３０から提供される情報をリアルタイムにネットワーク装置１０ｄ及び対向ネットワーク装置２０ｄで共有することができる。
【００４８】
なお、本実施例において、ネットワーク装置１０ｄの利用者が入力した情報からＷｅｂサーバ３０のＵＲＬ及びＣｏｏｋｉｅを読み取る処理、あるいはＵＲＬ及びＣｏｏｋｉｅを入力してＷｅｂサーバ３０へ接続する処理などを行う構成は、ＨＴＴＰ処理部１０２あるいはＨＴＴＰ処理部２１２を備えるものとしたが、同様の処理を実行するブロックであれば、別の構成を備えても良いものとする。
【実施例５】
【００４９】
以下、本発明の第５実施例を説明する。はじめに、本実施例のシステムの概略構成を説明する。図１３に示すように、システム概略構成は、ネットワーク装置１０ｅ、ネットワーク装置１０ｅと閉域ネットワークを構築し、これを介して接続する対向ネットワーク装置２０ｅ、ネットワーク装置１０ｅとインターネットを介して接続するＷｅｂサーバ３０を備えている。ここで、閉域ネットワークは、特定の装置間を結ぶ専用線であり、閉域ネットワーク間の通信では漏洩や盗聴のおそれが少ない。
【００５０】
本実施例のネットワーク装置１０ｅは、インターネットを介して接続するＷｅｂサーバ３０との間で通信を行い、閉域ネットワークを介して接続する対向ネットワーク装置２０ｅへの利用者認証情報の登録要求を受信し、これに従い、対向ネットワーク装置２０ｅとの間で通信を行い、利用者認証情報を送信して登録する一方、Ｗｅｂサーバ情報を利用する際に用いる接続鍵を受信するものである。また、ネットワーク装置１０ｅは、接続鍵を用いてＷｅｂサーバ３０との間で通信を行った場合、ネットワーク装置１０ｅがＷｅｂサーバ３０へアクセスしたことを識別するために付与されたアクセス識別子、及び対向ネットワーク装置２０ｅへの利用者認証情報の入力要求を受信し、これに従い、対向ネットワーク装置２０ｅとの間で通信を行い、アクセス識別子及び利用者認証情報を送信し、Ｗｅｂサーバ３０を利用できるか否かを示す認証結果を受信するものである。図１４に示すように、ネットワーク装置１０ｅの内部構成は、Ｗｅｂサーバ接続部１０１、ＨＴＴＰ処理部１０２、表示処理部１０３、ディスプレイ部１０４、対向ネットワーク接続部１０５、対向ネットワークアドレス取得部１１４、対向ネットワークアドレス保持部１１５、接続鍵取得部１１６、接続鍵保持部１１７、及び認証結果取得部１１８を備えている。なお、特に図示していないが、上記の各構成は、ネットワーク装置１０ｅ内の記録媒体に記録されているプログラムを装置内のコンピュータが実行することにより機能する。
【００５１】
また、本実施例の対向ネットワーク装置２０ｅは、閉域ネットワークを介して接続するネットワーク装置１０ｅとの間で通信を行い、ネットワーク装置１０ｅから送信される利用者認証情報を取得して登録した後、Ｗｅｂサーバ３０を利用する際に用いる接続鍵を送信するものである。また、対向ネットワーク装置２０ｅは、閉域ネットワークを介して接続するＷｅｂサーバ３０との間で通信を行い、ネットワーク装置１０ｅがＷｅｂサーバ３０へアクセスしたことを識別するために付与されたアクセス識別子及び接続鍵を受信し、その一方、ネットワーク装置１０ｅから入力される利用者認証情報、及びネットワーク装置１０ｅから送信されるアクセス識別子を取得し、アクセス識別子を基に利用者認証情報及び接続鍵を取得して利用者認証処理を行い、その結果を送信するものである。図１５に示すように、対向ネットワーク装置２０ｅには、ネットワーク接続部２０１、Ｗｅｂサーバ接続部２１８、接続鍵保持部２１９、認証情報登録／読出部２２０、認証情報保持部２２１、及びユーザＩＤ／パスワード取得部２２２を備えている。なお、特に図示していないが、上記の各構成は、対向ネットワーク装置２０ｅ内の記録媒体に記録されているプログラムを装置内のコンピュータが実行することにより機能する。
【００５２】
また、Ｗｅｂサーバ３０は、当該サーバを利用する際に用いる接続鍵を対向ネットワーク装置２０ｅに送信して管理させ、対向ネットワーク装置２０ｅにおいて利用者の認証処理を行わせた上で、その認証処理が成功した場合に限り、利用できるようにしたサーバである。
【００５３】
以下、図１４を用いてシステムの動作を説明する。はじめに、ネットワーク装置１０ｅの利用者はＷｅｂサーバ３０のＵＲＬを入力する（Ｓ１）。ネットワーク装置１０ｅにおいて、入力されたＵＲＬはＨＴＴＰ処理部１０２で処理され、Ｗｅｂサーバ接続部１０１はインターネットを介してＷｅｂサーバ３０と接続し、通信を行う。この時、ネットワーク装置１０ｅはＷｅｂサーバ３０へ接続鍵を送信しておらず、この場合、Ｗｅｂサーバ３０は対向ネットワーク装置２０ｅのアドレスを通知し、ユーザＩＤ、パスワード等の利用者認証情報の登録を対向ネットワーク装置２０ｅへ行うよう要求する（Ｓ２）。ネットワーク装置１０ｅにおいて、それらの通知及び要求はＷｅｂサーバ接続部１０１を介して、ＨＴＴＰ処理部１０２で処理され、表示処理部１０３を介してディスプレイ部１０４に表示される。また、対向ネットワーク装置２０ｅのアドレスはＨＴＴＰ処理部１０２を介して対向ネットワークアドレス取得部１１８で取得され、対向ネットワークアドレス保持部１１９に登録される。
【００５４】
その一方、Ｗｅｂサーバ３０は、閉域ネットワークを介して対向ネットワーク装置２０ｅと接続し、Ｗｅｂサーバ３０を利用する際に使用する接続鍵を送信する（Ｓ３）。なお、接続鍵は、任意または所定のタイミングで予め送信しておいても良く、また、郵送等の手段で対向ネットワーク装置２０ｅの担当者に送るようにしても良い。
【００５５】
ネットワーク装置１０ｅの利用者は対向ネットワーク装置２０ｅのアドレスを用いて、対向ネットワーク装置２０ｅとの間で閉域ネットワークを構築する。ネットワーク装置１０ｅにおいて、対向ネットワーク接続部１０５は閉域ネットワークを介して対向ネットワーク装置２０ｅと接続して通信を行う。その後、ネットワーク装置１０ｅの利用者によりユーザＩＤ及びパスワードが入力されると、ユーザＩＤ及びパスワードは対向ネットワーク接続部１０５に入力され、対向ネットワーク接続部１０５は閉域ネットワークを介して対向ネットワーク装置２０ｅへユーザＩＤ及びパスワードを送信する（Ｓ４）。
【００５６】
対向ネットワーク装置２０ｅにおいて、ネットワーク装置１０ｅから閉域ネットワークを介して送信されてくるユーザＩＤ及びパスワードはネットワーク接続部２０１を介してユーザＩＤ及びパスワード取得部２２２で取得され、ユーザＩＤ及びパスワード取得部２２２は認証情報登録／読出部２２０に入力される。その一方、Ｗｅｂサーバ３０から閉域ネットワークを介して送信されてくる接続鍵はＷｅｂサーバ接続部２１８を介して接続鍵保持部２１９に登録された後、認証情報登録／読出部２２０に入力される（Ｓ５）。認証情報登録／読出部２２０は、入力されたユーザＩＤ及びパスワード（Ｓ６）、ならびに接続鍵を関連付けて認証情報を作成した後、認証情報保持部２２１に登録し（Ｓ７）、その登録が終わった後、認証情報登録／読出部２２０は、ネットワーク装置１０ｅの利用者のユーザＩＤ及びパスワードに関連付けた接続鍵をネットワーク接続部２０１に入力し、ネットワーク接続部２０１は閉域ネットワークを介してネットワーク装置１０ｅへ接続鍵を送信する（Ｓ８）。
【００５７】
ネットワーク装置１０ｅにおいて、対向ネットワーク装置２０ｅから閉域ネットワークを介して送信されてくる接続鍵は対向ネットワーク接続部１０５を介して接続鍵取得部１２０で取得され、接続鍵保持部１２１に登録される（Ｓ９）。以上の処理により、ネットワーク装置１０ｅは、ユーザＩＤ及びパスワード等の利用者認証情報を登録し、Ｗｅｂサーバ３０を利用する際に使用する接続鍵を取得することができる。
【００５８】
次に、ネットワーク装置１０ｅの利用者によりＷｅｂサーバ３０のＵＲＬが入力され、接続鍵保持部１２１に登録した接続鍵が読み出されると、ネットワーク装置１０ｅにおいて、入力されたＵＲＬ及び読み出した接続鍵はＨＴＴＰ処理部１０２で処理され、Ｗｅｂサーバ接続部１０１はインターネットを介してＷｅｂサーバ３０と接続し、通信を行う（Ｓ１０）。この時、ネットワーク装置１０ｅはＷｅｂサーバ３０へ接続鍵を送信しており、この場合、Ｗｅｂサーバ３０は、ユーザＩＤ及びパスワード等の利用者認証情報の入力を対向ネットワーク装置２０ｅに対して行うよう要求する（Ｓ１１）。なお、この際、Ｗｅｂサーバ３０はアクセスナンバーを発行し、これを付与して送信する。
【００５９】
その一方、Ｗｅｂサーバ３０は、閉域ネットワークを介して対向ネットワーク装置２０ｅと接続し、ネットワーク装置１０ｅから送信されてきた接続鍵を転送し、これに関連付けられているユーザＩＤ及びパスワードを読み出すよう要求する（Ｓ１２）。なお、この際、Ｗｅｂサーバ３０はネットワーク装置１０ｅに送信したものと同一のアクセスナンバーを付与して送信する。対向ネットワーク装置２０ｅにおいて、その要求はＷｅｂサーバ接続部２１８を介して認証情報登録／読出部２２０に入力され、認証情報登録／読出部２２０は、認証情報保持部２２１に登録されている利用者認証情報から接続鍵を基にして、これに関連付けられているユーザＩＤ及びパスワードを読み出し、アクセスナンバーと関連付ける（Ｓ１３）。
【００６０】
ネットワーク装置１０ｅにおいて、Ｗｅｂサーバ３０からインターネットを介して送信されてくるユーザＩＤ及びパスワードの入力要求はＷｅｂサーバ接続部１０１を介して、ＨＴＴＰ処理部１０２で処理され、表示処理部１０３を介してディスプレイ部１０４に表示される。これに従い、ネットワーク装置１０ｅの利用者は対向ネットワーク装置２０ｅのアドレスを対向ネットワークアドレス保持部１１９から取得し、また、ユーザＩＤ及びパスワードを入力する。ネットワーク装置１０ｅにおいて、対向ネットワーク接続部１０５は読み出したアドレスを用いて閉域ネットワークを介して対向ネットワーク装置２０ｅと接続して通信を行い、入力されたユーザＩＤ及びパスワード、ならびにＷｅｂサーバ３０から送信されたアクセスナンバーを付与して送信する（Ｓ１４）。
【００６１】
対向ネットワーク装置２０ｅでは、ネットワーク装置１０ｅからユーザＩＤ及びパスワード、ならびにアクセスナンバーを取得すると、アクセスナンバーを基にしてステップ１３で読み出したユーザＩＤ及びパスワードを用いて利用者の認証処理を行う。互いのユーザＩＤ及びパスワードが同一である場合に限り、認証が成功し、この場合に限り、ネットワーク装置１０ｅはＷｅｂサーバ３０を利用することができ、対向ネットワーク装置２０ｅは、認証処理の結果をアクセスナンバーとともにＷｅｂサーバ３０へ送信する。Ｗｅｂサーバ３０は、認証処理の結果が通知されることにより、ネットワーク装置１０ｅが当該サーバを利用できるか否かを判断することができ、この結果をネットワーク装置１０ｅにも送信する。
【００６２】
ネットワーク装置１０ｅにおいて、Ｗｅｂサーバを利用できるか否かの通知はＷｅｂサーバ接続部１０１を介して、ＨＴＴＰ処理部１０２で処理され、表示処理部１０３を介してディスプレイ部１０４に表示される。
【００６３】
以上、本実施例では、ネットワーク装置とＷｅｂサーバとの間で通信を行う際に認証処理が必要な場合に、ネットワーク装置と閉域ネットワークを介して接続する対向ネットワーク装置へ利用者認証情報の登録及び当該対向ネットワーク装置との間で認証処理を行っているので、インターネット上にユーザＩＤあるいはパスワード等が漏洩あるいは盗聴されずに済む。
【００６４】
なお、本実施例において、利用者認証情報の登録あるいは入力要求を読み取る処理、アクセスナンバーを読み取る処理、あるいは接続鍵を付加してＷｅｂサーバ３０へ送信する処理などを行う構成は、ＨＴＴＰ処理部１０２を備えるものとしたが、同様の処理を実行するブロックであれば、別の構成を備えても良いものとする。
【００６５】
また、本実施例において、対向ネットワーク装置２０ｅ及びＷｅｂサーバ３０は物理的に一体型あるいは分離型のどちらでも同様の効果を得ることができる。
【実施例６】
【００６６】
以下、本発明の第６実施例を説明する。はじめに、本実施例のシステムの概略構成を説明する。図１７に示すように、システム概略構成は、ネットワーク装置１０ｆ、ネットワーク装置１０ｆと閉域ネットワークを構築し、これを介して接続する対向ネットワーク装置２０ｆ、ネットワーク装置１０ｆとインターネットを介して接続するＷｅｂサーバ３０、及び対向ネットワーク装置２０ｆと閉域ネットワークを介して接続する決済サーバ４０を備えている。閉域ネットワークは、特定の装置間を結ぶ専用線であり、閉域ネットワーク間の通信では漏洩や盗聴のおそれは少ない。
【００６７】
本実施例のネットワーク装置１０ｆは、インターネットを介して接続するＷｅｂサーバ３０との間で通信を行い、ネットワーク装置１０ｆの利用者が選択した商品についての購入希望及び利用者のカード情報を送信し、購入希望した商品を識別するために付与された商品識別子、及び閉域ネットワークを介して接続する対向ネットワーク装置への利用者認証情報の入力要求を受信する。これに従い、ネットワーク装置１０ｆは対向ネットワーク装置２０ｆとの間で通信を行い、商品識別子及び利用者認証情報を送信し、購入希望した商品の決済を要求するものである。図１８に示すように、ネットワーク装置１０ｆの内部構成は、Ｗｅｂサーバ接続部１０１、ＨＴＴＰ処理部１０２、表示処理部１０３、ディスプレイ部１０４、対向ネットワーク接続部１０５、及びクレジット決済結果取得部１１９を備えている。なお、特に図示していないが、上記の各構成は、ネットワーク装置１０ｆ内の記録媒体に記録されているプログラムを装置内のコンピュータが実行することにより機能する。
【００６８】
また、本実施例の対向ネットワーク装置２０ｆは、閉域ネットワークを介して接続するＷｅｂサーバ３０との間で通信を行い、ネットワーク装置１０ｆの利用者が購入希望した商品情報、ネットワーク装置１０ｆからＷｅｂサーバ３０へ送信された利用者のカード識別情報を受信する一方、閉域ネットワークを介して接続するネットワーク装置１０ｆとの間で通信を行い、利用者認証情報及び商品識別子を受信するものである。また、これに従い、対向ネットワーク装置２０ｆは、取得した商品識別子を基に、商品情報、カード識別情報、利用者認証情報を取得し、閉域ネットワークを介して接続する決済サーバ４０との間で通信を行い、決済処理を要求する。図１９に示すように、対向ネットワーク装置２０ｆには、ネットワーク接続部２０１、Ｗｅｂサーバ接続部２１８、商品情報及びカード番号取得部２２３、ユーザＩＤ及びパスワード取得部２２４、商品情報及びカード情報取得部２２５、及びクレジット決済処理部２２６を備えている。なお、特に図示していないが、上記の各構成は、対向ネットワーク装置２０ｆ内の記録媒体に記録されているプログラムを装置内のコンピュータが実行することにより機能する。
【００６９】
また、本実施例においてＷｅｂサーバ３０はショッピングサイト等であり、選択された商品について商品ナンバーを付与し、これを基に利用者が選択した商品を識別できるようにしている。また、Ｗｅｂサーバ３０にはユーザＩＤやパスワード等は入力されず、カード番号のみが入力され、閉域ネットワークを介して対向ネットワーク装置２０ｆに転送する。これにより、ネットワーク装置の利用者のカード情報がインターネット上で漏洩あるいは盗聴されるのを防止している。
【００７０】
また、決済サーバ４０は、クレジットカード会社が管理するサーバであり、ネットワーク装置の利用者のカード識別情報となるカード番号、及び利用者の認証情報となるユーザＩＤ及びパスワード等の登録がされ、閉域ネットワークを介して対向ネットワーク装置２０ｆとの間で決済処理を行うサーバである。
【００７１】
以下、図２０を用いてシステムの動作を説明する。はじめに、本システムの利用者はクレジットカード会社との間で利用者のカード番号、ユーザＩＤ、及びパスワード等のカード情報を設定する（Ｓ１）。例えば、本実施例では、カード番号は「０１２３」、ユーザＩＤは「ｔａｒｏ」、パスワード「ａｂｃ」と設定したものとする。この設定後、クレジットカード会社は設定した上記カード情報、及び対向ネットワーク装置２０ｆのアドレスを利用者に通知する（Ｓ２）。クレジットカード会社との間でカード情報を設定し、これが利用者に通知されることにより、本システムは利用できる。
【００７２】
利用者はネットワーク装置１０ｆを用いてＷｅｂサーバ３０のＵＲＬを入力し、インターネットを介してＷｅｂサーバ３０と接続し、通信を行う（Ｓ３）。利用者はＷｅｂサーバ３０上で提供している商品を閲覧して選択し、選択した商品の購入意思をＷｅｂサーバ３０に対して示し、クレジットカード会社との間で設定したカード番号を入力する（Ｓ４）。ここではカード番号「０１２３」を入力する。これに従い、Ｗｅｂサーバ３０は、この時、利用者が選択した商品情報に対して商品ナンバーを付与する。商品情報は、商品名、価格、及び数量等からなり、商品ナンバーは任意に設定される。例えば、利用者が単価5,000円の商品Ａを３個購入する意思をＷｅｂサーバ３０に対して示した場合、「商品Ａ、5,000円、３個」が商品情報であり、これに対して商品ナンバー「０００１０１」を付与する。つづいて、Ｗｅｂサーバ３０は、付与した商品ナンバーをネットワーク装置１０ｆへ送信するとともに、利用者のカード情報におけるユーザＩＤ及びパスワードを対向ネットワーク装置２０ｆへ入力するよう要求する（Ｓ５）。その一方、Ｗｅｂサーバ３０は、閉域ネットワークを介して対向ネットワーク装置２０ｆと接続し、取得した商品情報及びカード番号を商品ナンバーとともに転送する（Ｓ６）。ここでは、商品情報「商品Ａ、5,000円、３個」、カード番号「０１２３」、商品ナンバー「０００１０１」を転送する。対向ネットワーク装置２０ｆにおいて、Ｗｅｂサーバ３０から転送されてくる商品情報、カード番号及び商品ナンバーは、Ｗｅｂサーバ接続部２１８を介して商品情報及びカード番号取得部２２３で取得される（Ｓ７）。
【００７３】
一方、ネットワーク装置１０ｆでは、Ｗｅｂサーバ３０から商品ナンバー、及び利用者のユーザＩＤ及びパスワードの入力要求を取得すると、利用者はカード情報におけるユーザＩＤ及びパスワードを入力し、これを商品ナンバーとともに対向ネットワーク装置２０ｆに送信する（Ｓ８）。本実施例では、ユーザＩＤ「ｔａｒｏ」、パスワード「ａｂｃ」、商品ナンバー「０００１０１」を送信する。対向ネットワーク装置２０ｆにおいて、ネットワーク装置１０ｆから転送されてくる商品ナンバー、ユーザＩＤ及びパスワードは、ネットワーク接続部２０１を介してユーザＩＤ及びパスワード取得部２２４が取得する（Ｓ９）。
【００７４】
対向ネットワーク装置２０ｆは、ネットワーク装置１０ｆから「商品ナンバー」、「ユーザＩＤ」、「パスワード」を取得し、対向ネットワーク装置２０ｆから「商品ナンバー」、「商品情報」、「カード番号」を取得することにより、利用者が選択した商品についてクレジット決済を行う情報を取得することができる。本実施例では、商品ナンバー「０００１０１」を基にして、商品情報（「商品Ａ、5,000円、３個」）、及びカード情報（カード番号「０１２３」、ユーザＩＤ「ｔａｒｏ」、パスワード「ａｂｃ」）を取得し、利用者が選択した商品についてクレジット決済を行う情報（クレジット決済情報）を取得することができる（Ｓ１０）。対向ネットワーク装置２０ｆにおいて、クレジット決済情報は、商品情報及びカード情報取得部２２５で取得され、クレジット決済処理部２２６は、閉域ネットワークを介して決済サーバ４０と接続し、取得したクレジット決済情報を送信してクレジット決済を要求する（Ｓ１１）。
【００７５】
決済サーバ４０は、クレジット決済情報を受信すると、利用者が選択した商品情報について、利用者のクレジット決済処理を行う。決済サーバ４０は、利用者とクレジットカード会社との間で設定した、利用者のカード番号、ユーザＩＤ、及びパスワード等のカード情報を管理しており、受信したクレジット決済情報におけるカード情報と、管理されている利用者のカード情報とを用いてカードの認証処理を行い、それが成功した場合に限り、利用者が選択した商品情報のクレジット決済処理を行う（Ｓ１２）。クレジット決済処理後、決済サーバ４０は、対向ネットワーク装置２０ｆに対して決済が終了したことを通知する（Ｓ１３）。なお、カードの認証処理が失敗した場合は、クレジット決済が行われなかったことを通知する。決済サーバ４０からの通知に従い、対向ネットワーク装置２０ｆは、ネットワーク装置１０ｆあるいはＷｅｂサーバ３０に対して、クレジット決済処理の結果を通知する。クレジット決済処理結果の通知は、最低限、当該処理が済んだか否かが判定できれば良く、例えば、商品ナンバーに関連付けて「処理済」か「未処理」を判定できるフラグをたてる。対向ネットワーク装置２０ｆにおいて、決済サーバ４０から通知されるクレジット決済処理の結果は、閉域ネットワークを介してクレジット決済処理部２２６で取得され、クレジット決済処理部２２６は、これをネットワーク接続部２０１あるいはＷｅｂサーバ接続部２１８に入力する。その後、ネットワーク接続部２０１は閉域ネットワークを介してネットワーク装置１０ｆと接続し、また、Ｗｅｂサーバ接続部２１８は閉域ネットワークを介してＷｅｂサーバ３０と接続し、決済サーバ４０から通知されるクレジット決済処理の結果を送信する。ネットワーク装置１０ｆにおいて、対向ネットワーク装置２０ｆから送信されてくるクレジット決済処理結果は、対向ネットワーク接続部１０５に入力され、表示処理部１０３を介してディスプレイ部１０４に表示される。これにより、利用者はクレジット決済処理の結果について認識することができる。
【００７６】
以上、本実施例では、利用者がＷｅｂサーバを利用して商品の購入希望を行い、決済を行う際の利用者の認証処理について、閉域ネットワークを介して接続する対向ネットワーク装置との間で利用者認証情報の入力処理を行っているので、インターネット上にユーザＩＤあるいはパスワード等が漏洩あるいは盗聴されずに済む。
【００７７】
なお、本実施例において、利用者が選択した商品についての購入希望及び利用者のカード識別情報を付加してＷｅｂサーバ３０へ送信する処理、あるいは利用者認証情報の入力要求を読み取る処理、商品識別子を読み取る処理などを行う構成は、ＨＴＴＰ処理部１０２を備えるものとしたが、同様の処理を実行するブロックであれば、別の構成を備えても良いものとする。
【００７８】
また、本実施例において、対向ネットワーク装置２０ｆ及び決済サーバ４０、あるいは対向ネットワーク装置２０ｆ及びＷｅｂサーバ３０は物理的に一体型あるいは分離型のどちらでも同様の効果を得ることができる。
【図面の簡単な説明】
【００７９】
【図１】本発明の第１実施例におけるシステムの概略構成を示す図
【図２】本発明の第１実施例におけるネットワーク装置の内部構成を示すブロック図
【図３】本発明の第１実施例における対向ネットワーク装置の内部構成を示すブロック図
【図４】本発明の第２実施例におけるシステムの概略構成を示す図
【図５】本発明の第２実施例におけるネットワーク装置の内部構成を示すブロック図
【図６】本発明の第２実施例における対向ネットワーク装置の内部構成を示すブロック図
【図７】本発明の第３実施例におけるシステムの概略構成を示す図
【図８】本発明の第３実施例におけるネットワーク装置の内部構成を示すブロック図
【図９】本発明の第３実施例における対向ネットワーク装置の内部構成を示すブロック図
【図１０】本発明の第４実施例におけるシステムの概略構成を示す図
【図１１】本発明の第４実施例におけるネットワーク装置の内部構成を示すブロック図
【図１２】本発明の第４実施例における対向ネットワーク装置の内部構成を示すブロック図
【図１３】本発明の第５実施例におけるシステムの概略構成を示す図
【図１４】本発明の第５実施例におけるネットワーク装置の内部構成を示すブロック図
【図１５】本発明の第５実施例における対向ネットワーク装置の内部構成を示すブロック図
【図１６】本発明の第５実施例におけるシステムの処理動作を示すフロー図
【図１７】本発明の第６実施例におけるシステムの概略構成を示す図
【図１８】本発明の第６実施例におけるネットワーク装置の内部構成を示すブロック図
【図１９】本発明の第６実施例における対向ネットワーク装置の内部構成を示すブロック図
【図２０】本発明の第６実施例におけるシステムの処理動作を示すフロー図
【図２１】従来のＷｅｂサーバの情報を共有するシステムの概略構成を示す図
【図２２】従来のＷｅｂサーバの情報を共有するシステムの概略構成を示す図
【符号の説明】
【００８０】
１０ａ〜ｆ  ネットワーク装置
２０ａ〜ｆ  対向ネットワーク装置
３０  Ｗｅｂサーバ
４０  決済サーバ
１０１  Ｗｅｂサーバ接続部
１０５  対向ネットワーク接続部
１１０  画像／音声ファイル転送部（ファイル転送部）
１１１  処理手順転送部
１１２  ＵＲＬ転送部
１１３  ＵＲＬ及びＣｏｏｋｉｅ転送部
１１６  接続鍵取得部
１１８  認証結果取得部
１１９  クレジット決済結果取得部
２０１  ネットワーク接続部
２０８  画像／音声ファイル取得部（ファイル取得部）
２１０  処理手順取得部
２１４  ＵＲＬ取得部
２１６  ＵＲＬ及びＣｏｏｋｉｅ取得部
２２０  認証情報登録／読出部
２２５  商品情報及びカード情報取得部
【図１】
2007011509.tif 000003
【図２】
2007011509.tif 000004
【図３】
2007011509.tif 000005
【図４】
2007011509.tif 000006
【図５】
2007011509.tif 000007
【図６】
2007011509.tif 000008
【図７】
2007011509.tif 000009
【図８】
2007011509.tif 000010
【図９】
2007011509.tif 000011
【図１０】
2007011509.tif 000012
【図１１】
2007011509.tif 000013
【図１２】
2007011509.tif 000014
【図１３】
2007011509.tif 000015
【図１４】
2007011509.tif 000016
【図１５】
2007011509.tif 000017
【図１６】
2007011509.tif 000018
【図１７】
2007011509.tif 000019
【図１８】
2007011509.tif 000020
【図１９】
2007011509.tif 000021
【図２０】
2007011509.tif 000022
【図２１】
2007011509.tif 000023
【図２２】
2007011509.tif 000024